【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
外部測色器と通信可能であり、且つインラインセンサを有する画像形成装置と通信可能な情報処理装置であって、
画像データを階調補正条件に基づいて変換する変換手段と、
前記画像データに基づく画像を前記画像形成装置に形成させるため、前記変換手段により変換された前記画像データを送信し、測定用画像とセパレータを含むテストチャートを前記画像形成装置に形成させるため、測定用画像データを送信する送信手段と、
前記外部測色器から出力される前記テストチャートに関する出力データに基づいて前記階調補正条件を生成し、前記インラインセンサによる前記テストチャートの測定結果に基づいて前記階調補正条件を生成する生成手段と、を有し、
前記外部測色器が前記テストチャートを測定する際の前記測定用画像の読取方向は、前記画像形成装置の搬送路を搬送される前記テストチャートの搬送方向に直交する方向であり、
前記セパレータは、前記テストチャートを前記読取方向に沿って読み取る際のタイミングを制御するために用いられ、
前記テストチャート上の前記測定用画像は第１測定用画像と第２測定用画像とを含み、
前記テストチャート上の前記第２測定用画像は前記読取方向において前記テストチャート上の前記第１測定用画像と異なる位置に形成され、
前記第１測定用画像の形成領域は前記第２測定用画像の形成領域と前記搬送方向において重なる領域を有し、
前記テストチャート上の前記セパレータは前記読取方向において前記第１測定用画像と前記第２測定用画像との間に形成されることを特徴とする情報処理装置。
【請求項２】
前記生成手段は、変換条件に基づき前記インラインセンサによる前記テストチャートの前記測定結果を変換する変換部をさらに有し、
前記生成手段は、前記変換部により変換された前記測定結果に基づいて前記階調補正条件を生成することを特徴とする請求項１に記載の情報処理装置。
【請求項３】
前記インラインセンサによる他のテストチャートの測定結果と前記外部測色器から出力される前記他のテストチャートに関する出力データとに基づき前記変換条件を生成する制御手段をさらに有することを特徴とする請求項２に記載の情報処理装置。
【請求項４】
前記テストチャートは、さらに、前記インラインセンサによる前記測定用画像の測定タイミングを制御するためのトリガ画像を含むことを特徴とする請求項１に記載の情報処理装置。
【手続補正２】
【補正対象書類名】明細書
【補正対象項目名】０００７
【補正方法】変更
【補正の内容】
【０００７】
本発明は、たとえば、
外部測色器と通信可能であり、且つインラインセンサを有する画像形成装置と通信可能な情報処理装置であって、
画像データを階調補正条件に基づいて変換する変換手段と、
前記画像データに基づく画像を前記画像形成装置に形成させるため、前記変換手段により変換された前記画像データを送信し、測定用画像とセパレータを含むテストチャートを前記画像形成装置に形成させるため、測定用画像データを送信する送信手段と、
前記外部測色器から出力される前記テストチャートに関する出力データに基づいて前記階調補正条件を生成し、前記インラインセンサによる前記テストチャートの測定結果に基づいて前記階調補正条件を生成する生成手段と、を有し、
前記外部測色器が前記テストチャートを測定する際の前記測定用画像の読取方向は、前記画像形成装置の搬送路を搬送される前記テストチャートの搬送方向に直交する方向であり、
前記セパレータは、前記テストチャートを前記読取方向に沿って読み取る際のタイミングを制御するために用いられ、
前記テストチャート上の前記測定用画像は第１測定用画像と第２測定用画像とを含み、
前記テストチャート上の前記第２測定用画像は前記読取方向において前記テストチャート上の前記第１測定用画像と異なる位置に形成され、
前記第１測定用画像の形成領域は前記第２測定用画像の形成領域と前記搬送方向において重なる領域を有し、
前記テストチャート上の前記セパレータは前記読取方向において前記第１測定用画像と前記第２測定用画像との間に形成されることを特徴とする情報処理装置を提供する。
【手続補正３】
【補正対象書類名】明細書
【補正対象項目名】００４５
【補正方法】変更
【補正の内容】
【００４５】
図６（Ａ）が示すように、Ａ４サイズのテストチャート６００ａｂの左端には先端余白６８１ｂが設けられている。先端余白６８１ｂの主走査方向の幅（以降、主走査幅と称す。）は、たとえば、３０ｍｍである。なお、主走査方向とは画像形成装置がテストチャートを搬送する搬送方向に直交する方向に相当する。さらに、図６（Ａ）、図６（Ｂ）において主走査方向は読み取り方向６９５ｂと平行である。さらに、シアンの測定用画像２２０ａｂの左側には、測色器５７０に測定を開始させるトリガーとなるポジションバー６８２ｂが設けられている。ポジションバー６８２ｂの主走査幅は、たとえば、２２ｍｍである。ポジションバー６８２とシアンの測定用画像２２０ａｂの間には白のセパレータ６８５が配置されている。つまり、シアンの測定用画像２２０ａｂの左隣に白のセパレータ６８５が配置されている。白のセパレータ６８５の主走査幅は２ｍｍである。シアンの測定用画像２２０ａｂ主走査幅は２２ｍｍである。シアンの測定用画像２２０ａｂの右隣りには、黒のセパレータ６８４または白のセパレータ６８５が配置される。シアンの測定用画像２２０ａｂの階調（信号値）に依存してどちらかのセパレータが選択される。たとえば、所定の閾値未満である階調の測定用画像２２０ａｂには黒のセパレータ６８４が選択される。所定の閾値以上である階調の測定用画像２２０ａｂには白のセパレータ６８５が選択される。黒のセパレータ６８４または白のセパレータ６８５の主走査幅は２ｍｍである。測色器５７０は、測定用画像２２０ａｂの右隣のセパレータを検知すると、測定用画像２２０ａｂの測定を終了する。
【手続補正４】
【補正対象書類名】明細書
【補正対象項目名】００６１
【補正方法】変更
【補正の内容】
【００６１】
図９は他の配置を採用したテストチャート６００ａｂを示している。上述したようにテストチャート６００ａｂにはｎ列（例：ｎ＝４）の第一画像群が設けられているとともに、ｍ行（例：ｍ＝１９）の第二画像群が設けられている。なお、第一画像群を構成している測定用画像２２０ａと第二画像群を構成している測定用画像２２０ａは同一の画像である。図９において測色器５７０は、第二方向（読み取り方向６９５ｂ）に沿って走査しながらｉ行目の第二画像群を測定し、第二方向とは反対方向（読み取り方向６９５ｂ'）に沿って走査しながらｉ＋１行目の第二画像群を測定する。図９が示すように奇数行目では先端余白６８１ｂは左端に配置されているが、偶数行目では先端余白６８１ｂは右端に配置されている。これは、偶数行目では測色器５７０が右端から左端に向かって移動するからである。同様に、奇数行目では後端余白６８９ｂは右端に配置されているが、偶数行目では後端余白６８９ｂは左端に配置されている。同様に、奇数行目ではポジションバー６８２ｂが左端に配置されているが、偶数行目ではポジションバー６８２ｂが右端に配置されている。なお、測定用画像２２０ａｂとポジションバー６８２ｂとの間には白のセパレータ６８５が配置される。奇数行目では白のセパレータ６８５がポジションバー６８２ｂの右隣に配置されているが、偶数行目では白のセパレータ６８５がポジションバー６８２ｂの左隣に配置されている。
【手続補正５】
【補正対象書類名】明細書
【補正対象項目名】発明の名称
【補正方法】変更
【補正の内容】
【発明の名称】情報処理装置